(57)【要約】【課題】ユーザーが、入力デバイスを装置本体に固定する際に、入力デバイスを固定する動作とは別の動作を行うことなく、装置本体の動作モードを選択でき、且つ、多様な動作モードを設定可能とする。【解決手段】情報処理装置は、装置本体（１００）及び装置本体に情報を入力するための入力デバイス（２２０）を備える。装置本体は、入力デバイスを保持可能な保持部（１３０）と、保持部によって入力デバイスが保持される直前の入力デバイスの位置である直前位置を検出する直前位置検出手段（２１２）と、入力デバイスが保持部によって保持された場合、直前位置検出手段によって検出された直前位置に応じて、装置本体の動作モードを選択する動作モード選択手段（３４０）とを備える。【選択図】図３
2011175465.tif 000002
【特許請求の範囲】
【請求項１】
装置本体及び該装置本体に情報を入力するための入力デバイスを備えた情報処理装置であって、
前記装置本体は、
前記入力デバイスを保持可能な保持部と、
該保持部によって前記入力デバイスが保持される直前の前記入力デバイスの位置である直前位置を検出する直前位置検出手段と、
前記入力デバイスが前記保持部によって保持された場合、前記直前位置検出手段によって検出された直前位置に応じて、前記装置本体の動作モードを選択する動作モード選択手段と
を備えることを特徴とする情報処理装置。
【請求項２】
前記動作モード選択手段によって選択される動作モードを表示する選択動作モード表示手段を更に備えることを特徴とする請求項１に記載の情報処理装置。
【請求項３】
前記装置本体は、表示を行うための表示領域を有し、
前記直前位置検出手段及び前記選択動作モード表示手段は、前記表示領域内に、前記表示領域の周縁の少なくとも一部に沿うように設けられる
ことを特徴とする請求項２に記載の情報処理装置。
【請求項４】
前記装置本体は、表示を行うための表示領域を有し、
前記直前位置検出手段及び前記選択動作モード表示手段は、前記表示領域外に、前記表示領域の周縁の少なくとも一部に沿うように設けられる
ことを特徴とする請求項２に記載の情報処理装置。
【請求項５】
前記保持部によって前記入力デバイスが保持された保持状態を検出する保持状態検出手段を更に備え、
前記動作モード選択手段は、前記直前位置検出手段によって検出された直前位置と前記保持状態検出手段によって検出された保持状態とに応じて、前記装置本体の動作モードを選択する
ことを特徴とする請求項１から４のいずれか一項に記載の情報処理装置。
【請求項６】
前記装置本体は、前記保持部を複数備え、
前記保持状態検出手段は、前記保持状態の少なくとも一部として、前記入力デバイスが前記複数の保持部のうちいずれの保持部によって保持されたかを検出する
ことを特徴とする請求項５に記載の情報処理装置。
【請求項７】
前記装置本体は、
前記動作モード選択手段が前記装置本体の動作モードとして選択可能な動作モードを設定する選択動作モード設定手段を更に備える
ことを特徴とする請求項１から６のいずれか一項に記載の情報処理装置。
【請求項８】
前記装置本体は、
前記入力デバイスが前記装置本体に対応するものであるか否かを判定する判定手段を更に備え、
前記動作モード選択手段は、前記判定手段によって前記入力デバイスが前記装置本体に対応するものであると判定された場合のみに、前記装置本体の動作モードを選択する
ことを特徴とする請求項１から７のいずれか一項に記載の情報処理装置。
【発明の詳細な説明】
【技術分野】
【０００１】
本発明は、情報処理装置の技術分野に関する。
【背景技術】
【０００２】
この種の情報処理装置として、スタイラスペン（以下、単に「ペン」と適宜称する）によって装置本体に情報を入力するものが知られている（例えば特許文献１から３参照）。
【０００３】
例えば特許文献１には、ペンが装置本体であるコンピューターの一部に格納されると、コンピューターの電源を切りの状態とし、ペンが取り外されると、コンピューターの電源を入りの状態とする技術が開示されている。例えば特許文献２には、装置本体に設けられたペン収納部にペンが収納された際のペンの回転状態に基づいて電源の制御を行う技術が開示されている。例えば特許文献３には、装置本体に、ペンを格納するためのペンホルダー（収納場所）を複数設け、ペンが複数のペンホルダーのいずれに格納されたか（或いは、いずれから抜き去られたか）に応じて電力供給状態を制御する技術が開示されている。
【先行技術文献】
【特許文献】
【０００４】
【特許文献１】特開平６−５９７９７号公報
【特許文献２】特開平１１−６６０１１号公報
【特許文献３】特開２００２−２３９５３号公報
【発明の概要】
【発明が解決しようとする課題】
【０００５】
しかしながら、上述した特許文献１に開示された技術によれば、ペンが装置本体に収納されると、装置本体の電源が切れてしまうため、ユーザー（使用者）は装置本体の電源を切りたくないときには、ペンを装置本体に収納することができないという技術的問題点がある。また、上述した特許文献２に開示された技術によれば、ユーザーは、ペンを装置本体に収納する際、電源の制御を行うためにペンを回転させる必要があり、ユーザーの手間が増大してしまうという技術的問題点がある。また、上述した特許文献３に開示された技術によれば、制御する電力供給状態の数を増やすためには、その数に応じてペンホルダーの数を増やす必要があるため、装置本体の小型化が困難になったり、装置本体のデザイン性に悪影響を及ぼしたりしてしまうおそれがあるという技術的問題点がある。
【０００６】
本発明は、例えば上述した問題点に鑑みなされたものであり、例えば、ユーザーが、例えばスタイラスペン等の入力デバイスを装置本体に固定する際に、入力デバイスを固定する動作とは別の動作を行うことなく、装置本体の動作モードを選択でき、且つ、多様な動作モードを設定可能な情報処理装置を提供することを課題とする。
【課題を解決するための手段】
【０００７】
本発明の情報処理装置は上記課題を解決するために、装置本体及び該装置本体に情報を入力するための入力デバイスを備えた情報処理装置であって、前記装置本体は、前記入力デバイスを保持可能な保持部と、該保持部によって前記入力デバイスが保持される直前の前記入力デバイスの位置である直前位置を検出する直前位置検出手段と、前記入力デバイスが前記保持部によって保持された場合、前記直前位置検出手段によって検出された直前位置に応じて、前記装置本体の動作モードを選択する動作モード選択手段とを備える。
【０００８】
本発明の情報処理装置によれば、例えば表示領域において表示を行う表示部及び該表示領域における例えばスタイラスペン等である入力デバイスの位置を検出可能な例えばデジタイザー等の位置検出手段を有する装置本体に、入力デバイスによって情報を入力することができる。
【０００９】
装置本体は、ユーザーが入力デバイスを使用しないときに、入力デバイスを保持するための保持部を備えている。保持部は、例えば装置本体の筐体に設けられ、入力デバイスを保持することが可能に構成される。保持部は、装置本体の表示領域の周縁の少なくとも一部に沿って設けられる。例えば、保持部は、矩形状を有する表示領域の一辺に沿うように、装置本体における表示領域外に設けられる。
【００１０】
本発明では特に、保持部によって入力デバイスが保持される直前の入力デバイスの位置、である直前位置が直前位置検出手段によって検出される。直前位置検出手段は、例えばデジタイザー等によって構成される。直前位置検出手段は、典型的には、装置本体の表示領域の周縁の一部に沿うように設けられる。直前位置検出手段は、例えば、装置本体の表示領域における入力デバイスの位置を検出する例えばデジタイザー等の位置検出手段と一体的に設けられてもよいし、該位置検出手段とは別体として設けられてもよい。ここで、本発明に係る「直前位置」とは、入力デバイスが保持部によって保持される直前に直前位置検出手段によって検出された入力デバイスの位置であり、言い換えれば、入力デバイスが保持部に保持される前において、直前位置検出手段によって最後に検出された入力デバイスの位置である。直前位置は、典型的には、ユーザーが、入力デバイスを装置本体の表示領域において使用した後、入力デバイスを表示領域外に設けられた保持部に保持させるために、入力デバイスを装置本体の表示領域から保持部に移動させる際に、直前位置検出手段によって最後に検出される入力デバイスの位置（言い換えれば、入力デバイスが直前位置検出手段から遠ざかることにより、直前位置検出手段によって入力デバイスの位置が検出できなくなる直前の入力デバイスの位置）である。
【００１１】
更に、入力デバイスが保持部によって保持された場合、直前位置検出手段によって検出された直前位置に応じて、装置本体の動作モードが動作モード選択手段によって選択される。動作モード選択手段によって選択される動作モードとしては、例えば、装置本体の現在の状態を維持する動作モード、デジタイザーの電源を遮断する動作モード、デジタイザー及び表示部の電源を遮断する動作モード、デジタイザー及び表示部の電源を遮断すると共に、装置本体のメインＣＰＵ（Central Processing Unit：中央処理装置）をスリープ状態にする動作モードなどが設定されてもよい。
【００１２】
尚、入力デバイスがユーザーによって保持部から取り上げられ、入力デバイスが保持部によって保持されない状態となった場合には、動作モード選択手段によって選択された動作モードが解除され、装置本体は予め定められた通常の状態に戻ってもよい。また、動作モード選択手段によって選択される動作モードは、先に例示した動作モードに限定されず、他の動作モードが設定されてもよい。
【００１３】
本発明によれば、入力デバイスが保持部によって保持された場合、直前位置検出手段によって検出された直前位置に応じて、装置本体の動作モードが動作モード選択手段によって選択されるので、ユーザーは、入力デバイスを装置本体に固定する際に、入力デバイスを固定する動作とは別の動作を殆ど或いは全く行うことなく、装置本体の動作モードを選択することができる。更に、直前位置検出手段によって検出される直前位置に応じて、装置本体の動作モードとして多様な動作モードを設定することができる。例えば、直前位置検出手段を複数の検出領域（即ち、直前位置を検出可能な領域）を有するように構成し、該複数の検出領域の各々に対して装置本体の動作モードを１つずつ割り当てることができる。
【００１４】
以上説明したように、本発明の情報処理装置によれば、例えば、ユーザーが、例えばスタイラスペン等の入力デバイスを装置本体に固定する際に、入力デバイスを固定する動作とは別の動作を行うことなく、装置本体の動作モードを選択でき、且つ、多様な動作モードを設定することができる。
【００１５】
本発明の情報処理装置の一態様では、前記動作モード選択手段によって選択される動作モードを表示する選択動作モード表示手段を更に備える。
【００１６】
この態様によれば、動作モード選択手段によって選択される動作モードが選択動作モード表示手段によって表示されるので、動作モード選択手段によって選択される動作モードをユーザーが視認することができる。よって、ユーザーの利便性を向上させることができる。
【００１７】
上述した選択動作モード表示手段を備える態様では、前記装置本体は、表示を行うための表示領域を有し、前記直前位置検出手段及び前記選択動作モード表示手段は、前記表示領域内に、前記表示領域の周縁の少なくとも一部に沿うように設けられてもよい。
【００１８】
この場合には、例えば、選択動作モード表示手段を、装置本体の表示領域において表示を行う表示部と一体的に形成することができる。よって、選択動作モード表示手段による表示内容を容易に変更することが可能となる。更に、当該情報処理装置の構成を比較的簡易なものとすることができる。尚、選択動作モード表示手段は、装置本体の表示領域において表示を行う表示部と別体として設けられてもよい。
【００１９】
加えて、直前位置検出手段及び選択動作モード表示手段は、表示領域の周縁の少なくとも一部に沿うように設けられるので、表示領域における表示に悪影響を殆ど或いは全く及ぼさない。
【００２０】
上述した選択動作モード表示手段を備える態様では、前記装置本体は、表示を行うための表示領域を有し、前記直前位置検出手段及び前記選択動作モード表示手段は、前記表示領域外に、前記表示領域の周縁の少なくとも一部に沿うように設けられてもよい。
【００２１】
この場合には、例えば、選択動作モード表示手段を、装置本体の筐体上に設けることができる。当該情報処理装置の構成を比較的簡易なものとすることができる。更に、直前位置検出手段及び選択動作モード表示手段は、表示領域の周縁の少なくとも一部に沿うように設けられるので、表示領域における表示に悪影響を殆ど或いは全く及ぼさない。
【００２２】
本発明の情報処理装置の他の態様では、前記保持部によって前記入力デバイスが保持された保持状態を検出する保持状態検出手段を更に備え、前記動作モード選択手段は、前記直前位置検出手段によって検出された直前位置と前記保持状態検出手段によって検出された保持状態とに応じて、前記装置本体の動作モードを選択する。
【００２３】
この態様によれば、例えば、直前位置検出手段によって検出された直前位置と保持状態検出手段によって検出された保持状態との組み合わせに対して装置本体の動作モードを割り当てることができるので、より一層多様な動作モードを設定することが可能となる。
【００２４】
上述した保持状態検出手段を備える態様では、前記装置本体は、前記保持部を複数備え、前記保持状態検出手段は、前記保持状態の少なくとも一部として、前記入力デバイスが前記複数の保持部のうちいずれの保持部によって保持されたかを検出してもよい。
【００２５】
この場合には、動作モード選択手段は、入力デバイスが複数の保持部のうちいずれの保持部によって保持されたかに応じても装置本体の動作モードを選択することができるので、より一層多様な動作モードを設定することが可能となる。
【００２６】
本発明の情報処理装置の他の態様では、前記装置本体は、前記動作モード選択手段が前記装置本体の動作モードとして選択可能な動作モードを設定する選択動作モード設定手段を更に備える。
【００２７】
この態様によれば、ユーザーは、動作モード選択手段が装置本体の動作モードとして選択可能な動作モードを、選択動作モード設定手段によって、入力デバイスの直前位置に対して割り当てることができる。即ち、入力デバイスの直前位置がどこである場合に、装置本体の動作モードとしてどのような動作モードが選択されるべきかをユーザーが設定することができる。従って、ユーザーの利便性を向上させることができ、実践上大変便利である。
【００２８】
本発明の情報処理装置の他の態様では、前記装置本体は、前記入力デバイスが前記装置本体に対応するものであるか否かを判定する判定手段を更に備え、前記動作モード選択手段は、前記判定手段によって前記入力デバイスが前記装置本体に対応するものであると判定された場合のみに、前記装置本体の動作モードを選択する。
【００２９】
この態様によれば、動作モード選択手段は、入力デバイスが装置本体に対応するものであると判定手段が例えばＲＦＩＤ（Radio Frequency Identification）技術により判定した場合のみに、装置本体の動作モードを選択する。よって、例えば、装置本体に対応しない他の入力デバイスなどが保持部によって保持されることにより装置本体の動作モードが誤って切り替わってしまうことを低減或いは防止できる。
【００３０】
本発明の作用及び他の利得は次に説明する発明を実施するための形態から明らかにされる。
【図面の簡単な説明】
【００３１】
【図１】第１実施形態に係る情報処理装置の全体構成を示す斜視図である。
【図２】スタイラスペンが保持部によって保持された状態の情報処理装置を示す斜視図である。
【図３】第１実施形態に係る情報処理装置の構成を示すブロック図である。
【図４】第１実施形態における、デジタイザー本体、表示部及び筐体の位置関係を示す断面図である。
【図５】スタイラスペンの直前位置に応じた動作モード選択部による動作モードの選択を説明するための模式図である。
【図６】第１変形例に係る情報処理装置の構成を示す模式図である。
【図７】第２変形例に係る情報処理装置の構成を示す模式図である。
【図８】第２実施形態に係る情報処理装置の全体構成を示す斜視図である。
【図９】第２実施形態における、デジタイザー本体、表示部及び筐体の位置関係を示す断面図である。
【図１０】第３実施形態に係る情報処理装置の構成を示すブロック図である。
【図１１】第３実施形態における、保持部によってスタイラスペンが保持された保持状態の一例を示す断面図である。
【図１２】第３実施形態における、保持部によってスタイラスペンが保持された保持状態の他の例を示す断面図である。
【図１３】第４実施形態における、保持部によってスタイラスペンが保持された保持状態の一例を示す断面図である。
【図１４】第４実施形態における、保持部によってスタイラスペンが保持された保持状態の他の例を示す断面図である。
【発明を実施するための形態】
【００３２】
以下では、本発明の実施形態について図を参照しつつ説明する。
【００３３】
＜第１実施形態＞
第１実施形態に係る情報処理装置について、図１から図５を参照して説明する。尚、以下では、本実施形態に係る情報処理装置の構成及び動作を、方向を用いて適宜説明するが、この方向は、特に説明しない限り、本実施形態に係る情報処理装置を使用するユーザーの視点から見た場合の方向である。
【００３４】
先ず、本実施形態に係る情報処理装置の全体構成について、図１を参照して説明する。
【００３５】
図１は、本実施形態に係る情報処理装置の全体構成を示す斜視図である。
【００３６】
図１において、本実施形態に係る情報処理装置１は、本発明に係る「入力デバイス」の一例としてのスタイラスペン２２０によって装置本体１００に情報を入力することが可能な携帯情報端末（ＰＤＡ：Personal Digital Assistant）である。尚、情報処理装置１は、携帯電話、携帯音楽再生装置、携帯動画再生装置、携帯ナビゲーション装置などであってもよい。
【００３７】
図１において、情報処理装置１は、表示部１１０及び筐体１２０を有する装置本体１００と、スタイラスペン２２０とを備えている。
【００３８】
表示部１１０は、例えば電気泳動表示装置等の表示装置によって構成され、例えば文字や文章などのテキストデータや図形などのイメージデータなど、各種データを装置本体１００の表示領域１００Ａにおいて表示する。尚、表示部１１０は、例えば、液晶ディスプレイ、プラズマディスプレイ或いは有機ＥＬ（Electro-Luminescence）ディスプレイなどによって構成されてもよい。
【００３９】
図１では図示を省略するが、スタイラスペン２２０の位置や軌跡を検出するデジタイザー本体２１０（図３及び図４参照）が表示部１１０及び後述する選択動作モード表示部３５０に重なるように設けられている。デジタイザー本体２１０が表示部１１０及び選択動作モード表示部３５０におけるスタイラスペン２２０の位置や軌跡を検出することで、スタイラスペン２２０から装置本体１００に情報を入力することが可能となる。
【００４０】
筐体１２０は、例えば図３を参照して後述するメインＣＰＵ１５０、サブＣＰＵ１６０、電源１７０、外部記憶装置１９０、ＲＡＭ（Random Access Memory）３２０など、情報処理装置１を動作させるための各種ハードウェアを収容する筐体である。筐体１２０は、表示部１１０を外縁側から保持するように設けられている。
【００４１】
スタイラスペン２２０は、デジタイザー本体２１０に対して情報を入力する棒状或いはペン状の入力デバイスである。スタイラスペン２２０は、装置本体１００とは別体で設けられている。情報処理装置１は、スタイラスペン２２０によって入力される情報をデジタイザー本体２１０によって特定し、この特定した情報を、表示部１１０によって表示したり、外部記憶装置１９０に記憶したりする。スタイラスペン２２０は、後述する保持部１３０によって保持されることができるように、磁石を有している。
【００４２】
筐体１２０の表面には、スタイラスペン２２０を保持するための保持部１３０（即ち、保持部１３０ａ及び保持部１３０ｂ）が設けられている。保持部１３０は、当該保持部１３０上に載置されたスタイラスペン２２０を着脱可能に保持する。保持部１３０は、筐体１２０の表面の一部が窪んだ凹部として、筐体１２０に設けられている。保持部１３０の凹部には、磁性体が設けられている。スタイラスペン２２０に設けられた磁石と保持部１３０に設けられた磁性体との間に働く磁力によって、保持部１３０はスタイラスペン２２０を保持することができる。
【００４３】
保持部１３０ａは、筐体１２０の表面において第１の方向（即ち、情報処理装置１の左右方向或いは短手方向）に延びる形状を有している。
【００４４】
保持部１３０ｂは、筐体１２０の表面において第１の方向に交わる第２の方向（即ち、情報処理装置１の上下方向或いは長手方向）に延びる形状を有している。保持部１３０ｂは、筐体１２０の表面においてスタイラスペン２２０の軸方向が前記第２の方向に沿う状態で、スタイラスペン２２０を保持することができる。
【００４５】
図２は、スタイラスペン２２０が保持部１３０ｂによって保持された状態の情報処理装置１を示す斜視図である。
【００４６】
図２に示すように、保持部１３０ｂは、筐体１２０の表面においてスタイラスペン２２０の軸方向が上述した第２の方向に沿う状態で、スタイラスペン２２０を保持することができる。
【００４７】
図１において、筐体１２０には、キースイッチ１４０が複数設けられている。キースイッチ１４０は、情報処理装置１の電源の入切やページ送りなどの指示を入力するために用いられる。
【００４８】
更に、筐体１２０には、表示領域１００Ａの周縁の一部に沿うように、選択動作モード表示部３５０（即ち、選択動作モード表示部３５０ａ、選択動作モード表示部３５０ｂ、選択動作モード表示部３５０ｃ及び選択動作モード表示部３５０ｄ）が設けられている。より具体的には、筐体１２０には、矩形状を有する表示領域１００Ａの一辺に沿うように、選択動作モード表示部３５０ａ、選択動作モード表示部３５０ｂ、選択動作モード表示部３５０ｃ及び選択動作モード表示部３５０ｄが配列されている。選択動作モード表示部３５０は、後述する動作モード選択部３４０によって選択される動作モードを表示する表示体である。
【００４９】
図１に示す例では、選択動作モード表示部３５０ａは、動作モード選択部３４０によって選択される動作モードが、第１の動作モードであることを文字「ａ）」により表示している。選択動作モード表示部３５０ｂは、動作モード選択部３４０によって選択される動作モードが、第２の動作モードであることを文字「ｂ）」により表示している。選択動作モード表示部３５０ｃは、動作モード選択部３４０によって選択される動作モードが、第３の動作モードであることを文字「ｃ）」により表示している。選択動作モード表示部３５０ｄは、動作モード選択部３４０によって選択される動作モードが、第４の動作モードであることを文字「ｄ）」により表示している。尚、動作モード選択部３４０によって選択される上述した第１の動作モードから第４の動作モードについては後述する。また、本実施形態では、選択動作モード表示部３５０は、動作モード選択部３４０によって選択される動作モードを、上述したように文字により表示しているが、例えば言葉、図形、記号などにより表示してもよい。
【００５０】
次に、本実施形態に係る情報処理装置の構成について、図３を参照して説明を加える。
【００５１】
図３は、本実施形態に係る情報処理装置の構成の一例を示すブロック図である。
【００５２】
図３において、情報処理装置１は、メインＣＰＵ１５０、サブＣＰＵ１６０、ＲＯＭ（Read Only Memory）３１０、ＲＡＭ３２０、電源１７０、バッテリー１８０、キースイッチ１４０、外部記憶装置１９０、デジタイザー２００及び表示部１１０を備えている。これらの構成要素はバス９００を介して互いに電気的に接続されている。
【００５３】
メインＣＰＵ１５０は、表示部１１０、デジタイザー本体２１０、ＲＯＭ３１０、ＲＡＭ３２０及び外部記憶装置１９０を制御する。
【００５４】
サブＣＰＵ１６０は、電源１７０、バッテリー１８０及びキースイッチ１４０を制御する。
【００５５】
電源１７０は、デジタイザー本体２１０や表示部１１０などの装置本体１００を構成する各構成要素に電力を供給する。
【００５６】
バッテリー１８０は、例えばニッケル−カドミウム系電池やリチウムイオン系電池などの、充電可能な２次電池である。
【００５７】
ＲＯＭ３１０には、メインＣＰＵ１５０やサブＣＰＵ１６０において動作させる各種動作プログラムが記憶されている。
【００５８】
ＲＡＭ３２０は、メインＣＰＵ１５０やサブＣＰＵ１６０においてプログラムが動作される際にデータを一時的に記憶するワークエリアとなる。また、ＲＡＭ３２０は、表示部１１０において表示させる表示データを一時的に記憶する。
【００５９】
外部記憶装置１９０は、例えばハードディスクであり、表示部１１０において表示させる表示データを記憶する。
【００６０】
表示部１１０は、上述したように例えば電気泳動表示装置等の表示装置によって構成されている。表示部１１０は、表示データを表示するディスプレイ１１１と、このディスプレイ１１１を制御するディスプレイコントローラー１１２とを有している。
【００６１】
デジタイザー２００は、上述したデジタイザー本体２１０及びスタイラスペン２２０からなる。
【００６２】
デジタイザー本体２１０は、本体部２１１及び直前位置検出部２１２を有している。
【００６３】
図４は、デジタイザー本体２１０、表示部１１０及び筐体１２０の位置関係の例を示す断面図であり、図１のＡ−Ａ’線での断面を示している。尚、図４では、情報処理装置１を構成する、デジタイザー本体２１０、表示部１１０、筐体１２０、保持部１３０及び選択動作モード表示部３５０以外の構成要素については、説明の便宜上、図示を省略している。
【００６４】
図４において、デジタイザー本体２１０は、少なくとも、平面視で表示部１１０に重なる本体部２１１と、本体部２１１から保持部１３０ｂが設けられた側に延設された直前位置検出部２１２と、を有している。
【００６５】
本体部２１１は、デジタイザー本体２１０のうち少なくとも表示部１１０に平面視で重なる部分である。本体部２１１は、表示部１１０におけるスタイラスペン２２０の位置や軌跡を検出する。
【００６６】
直前位置検出部２１２は、表示領域１００Ａの一辺（より具体的には、表示領域１００Ａの保持部１３０ｂが設けられた側の辺）に沿うように設けられている。言い換えれば、直前位置検出部２１２は、デジタイザー本体２１０のうち選択動作モード表示部３５０に重なる部分である。図４では、選択動作モード表示部３５０の保持部１３０ｂが設けられた側の端部３５０ｙは、直前位置検出部２１２の保持部１３０ｂが設けられた側の端部２１２ｙと一致しているが、ユーザーが予期せぬ動作を防止するためには、選択動作モード表示部３５０の保持部１３０ｂが設けられた側の端部３５０ｙが直前位置検出部２１２の保持部１３０ｂが設けられた側の端部２１２ｙよりも保持部１３０ｂ側に位置していた方が好ましい。直前位置検出部２１２は、保持部１３０によってスタイラスペン２２０が保持される直前のスタイラスペン２２０の位置（以下、この位置を「直前位置」と適宜称する）を検出する。
【００６７】
図３において、情報処理装置１は、ペン保持状態検出部３３０と、動作モード選択部３４０とを備えている。
【００６８】
ペン保持状態検出部３３０は、スタイラスペン２２０が保持部１３０によって保持されたか否かを検出する。ペン保持状態検出部３３０は、保持部１３０の近傍に設けられた磁気センサーを有しており、この磁気センサーによって、スタイラスペン２２０に設けられた磁石による磁場を検出することで、保持部３１０によってスタイラスペン２２０が保持されたか否かを検出する。
【００６９】
動作モード選択部３４０は、スタイラスペン２２０が保持部１３０によって保持された場合（即ち、スタイラスペン２２０が保持部１３０によって保持されたことがペン保持状態検出部３３０によって検出された場合）、直前位置検出部２１２によって検出された直前位置に応じて、装置本体１００の動作モードを選択する。動作モード選択部３４０は、筐体１２０の内部に電子回路として設けられている。
【００７０】
次に、スタイラスペン２２０の直前位置に応じた動作モード選択部３４０による動作モードの選択について、図１から図４に加えて図５を参照して説明する。
【００７１】
図５は、スタイラスペン２２０の直前位置に応じた動作モード選択部３４０による動作モードの選択を説明するための模式図である。
【００７２】
図５は、ユーザーが、スタイラスペン２２０を表示領域１００Ａにおいて使用した後、スタイラスペン２２０を保持部１３０に保持させるために、スタイラスペン２２０を表示領域１００Ａから保持部１３０に移動させる際に、スタイラスペン２２０が選択動作モード表示部３５０上を通過する様子（矢印Ｐ１参照）を示している。
【００７３】
図５において、ユーザーがスタイラスペン２２０を表示領域１００Ａから保持部１３０に移動させる際、スタイラスペン２２０が選択動作モード表示部３５０上を通過すると、直前位置検出部２１２によって直前位置（即ち、保持部１３０によってスタイラスペン２２０が保持される直前のスタイラスペン２２０の位置、）が検出される。直前位置は、選択動作モード表示部３５０ａ、選択動作モード表示部３５０ｂ、選択動作モード表示部３５０ｃ又は選択動作モード表示部３５０ｄに対応する位置として検出される。
【００７４】
動作モード選択部３４０は、直前位置検出部２１２によって検出された直前位置に応じて、装置本体１００の動作モードを選択する。言い換えれば、動作モード選択部３４０は、直前位置が、選択動作モード表示部３５０ａ、選択動作モード表示部３５０ｂ、選択動作モード表示部３５０ｃ及び選択動作モード表示部３５０ｄのうちいずれに対応する位置であるかに応じて、装置本体１００の動作モードを選択する。動作モード選択部３４０によって選択される動作モードとしては、例えば、装置本体１００の現在の状態を維持する第１の動作モード、デジタイザー本体２１０の電源を遮断する第２の動作モード、デジタイザー本体２１０及び表示部１１０の電源を遮断する第３の動作モード、デジタイザー本体２１０及び表示部１１０の電源を遮断すると共に、メインＣＰＵ１５０をスリープ状態にする第４の動作モードが設定される。尚、動作モード選択部３４０によって選択される動作モードは、上述した第１から第４の動作モードに限定されず、他の動作モードが設定されてもよい。
【００７５】
例えば、動作モード選択部３４０は、直前位置が選択動作モード表示部３５０ａに対応する位置である場合には、装置本体１００の動作モードとして上述した第１の動作モードを選択し、直前位置が選択動作モード表示部３５０ｂに対応する位置である場合には、装置本体１００の動作モードとして上述した第２の動作モードを選択し、直前位置が選択動作モード表示部３５０ｃに対応する位置である場合には、装置本体１００の動作モードとして上述した第３の動作モードを選択し、直前位置が選択動作モード表示部３５０ｄに対応する位置である場合には、装置本体１００の動作モードとして上述した第４の動作モードを選択する。
【００７６】
本実施形態に係る情報処置装置１によれば、スタイラスペン２２０が保持部１３０によって保持された場合、直前位置検出部２１２によって検出された直前位置に応じて、装置本体１００の動作モードが動作モード選択部３４０によって選択されるので、ユーザーは、スタイラスペン２２０を装置本体１００に固定する際に、スタイラスペン２２０を固定する動作とは別の動作を殆ど或いは全く行うことなく、装置本体１００の動作モードを選択することができる。ここで、動作モード選択部３４０は、スタイラスペン２２０が保持部１３０によって保持された時に装置本体１００の動作モードを選択する。言い換えれば、動作モード選択部３４０は、スタイラスペン２２０が保持部１３０によって保持されるまでは、装置本体１００の動作モードを選択しない。即ち、動作モード選択部３４０は、スタイラスペン２２０が保持部１３０によって保持されたことが検出された後に、装置本体１００の動作モードを選択する。よって、例えば、ユーザーがスタイラスペン２２０を装置本体１００に固定する意志がないにもかかわらず、意図せずスタイラスペン２２０を選択動作モード表示部３５０上を通過させても、動作モードが誤って切り替わってしまうことを防止することができる。このような誤作動を防止する手段としては、前述の手段に限られるものではない。たとえば、動作モード選択部３４０は、スタイラスペン２２０が選択動作モード表示部３５０上を通過する毎に装置本体１００の動作モードを選択するが、スタイラスペン２２０が装置本体１００に固定されたときに、装置本体１００の動作モードが選択された動作モードに切り替えられるようにしてもよい。
【００７７】
更に、本実施形態に係る情報処理装置１によれば、直前位置検出部２１２によって検出される直前位置に応じて、装置本体１００の動作モードとして多様な動作モードを設定することができる。即ち、直前位置検出部２１２における選択動作モード表示部３５０ａに対応する位置、直前位置検出部２１２における選択動作モード表示部３５０ｂに対応する位置、直前位置検出部２１２における選択動作モード表示部３５０ｃに対応する位置、及び直前位置検出部２１２における選択動作モード表示部３５０ｄに対応する位置の各々に対して装置本体１００の動作モードを１つずつ割り当てることができる。
【００７８】
図３において、本実施形態では特に、情報処理装置１は、本発明に係る「選択動作モード設定手段」の一例としての選択動作モード設定部３６０を備えている。選択動作モード設定部３６０は、動作モード選択部３４０が装置本体１００の動作モードとして選択可能な動作モードを、ユーザーから入力される指示に応じて設定する。よって、ユーザーは、選択動作モード設定部３６０によって、スタイラスペン２２０の直前位置に対して動作モードを割り当てることができる。即ち、スタイラスペン２２０の直前位置がどこである場合に、装置本体１００の動作モードとしてどのような動作モードが選択されるべきかをユーザーが設定することができる。従って、ユーザーの利便性を向上させることができ、実践上大変便利である。
【００７９】
図３において、本実施形態では特に、情報処理装置１は、本発明に係る「判定手段」の一例としてのペン判定部３７０を備えている。ペン判定部３７０は、スタイラスペン２２０が装置本体１００に対応するものであるか否かをＲＦＩＤ技術により判定する。尚、スタイラスペン２２０には、識別情報を示すＩＣ（integrated circuit）タグが設けられている。動作モード選択部３４０は、ペン判定部３７０によってスタイラスペン２２０が装置本体１００に対応するものであると判定された場合のみに、装置本体１００の動作モードを選択する。よって、例えば、装置本体１００に対応しない他のスタイラスペンなどが保持部１３０ａ或いは１３０ｂによって保持されることにより装置本体１００の動作モードが誤って切り替わってしまうことを低減或いは防止できる。
【００８０】
以上説明したように、本実施形態に係る情報処理装置１によれば、例えば、ユーザーが、スタイラスペン２２０を装置本体１００に固定する際に、スタイラスペン２２０を固定する動作とは別の動作を行うことなく、装置本体１００の動作モードを選択でき、且つ、多様な動作モードを設定することができる。
【００８１】
図６は、第１変形例に係る情報処理装置の構成を示す模式図である。
【００８２】
図６に示すように、第１変形例に係る情報処理装置は、デジタイザー本体部２１０によって現在検出されている位置を示すインジケーター７１０が表示部１１０に表示されるように構成されている。ここでは、第４の動作モードが選択された場合に、選択動作モード表示部３５０ｄの横にたとえば三角形のインジケータ７１０が表示されている例を示している。このようなインジケーター７１０が表示されることにより、ユーザーは、どの動作モードが選択されつつあるのかを視認することができる。よって、ユーザーの利便性を向上させることができる。
【００８３】
図７は、第２変形例に係る情報処理装置の構成を示す模式図である。
【００８４】
図７に示すように、第２変形例に係る情報処理装置は、デジタイザー本体部２１０の直前位置検出部２１２によって検出された位置が、選択動作モード表示部３５０ａ、選択動作モード表示部３５０ｂ、選択動作モード表示部３５０ｃ及び選択動作モード表示部３５０ｄのうちどの選択動作モード表示部３５０に対応するのかを示すインジケーター７２０が、選択動作モード表示部３５０ａ、選択動作モード表示部３５０ｂ、選択動作モード表示部３５０ｃ及び選択動作モード表示部３５０ｄ各々の上に表示されるように構成されている。このようなインジケーター７２０が表示されることにより、ユーザーは、どの動作モードが選択されつつあるのかを視認することができる。よって、ユーザーの利便性を向上させることができる。
【００８５】
＜第２実施形態＞
次に、第２実施形態に係る情報処理装置について、図８及び図９を参照して説明する。
【００８６】
尚、図８及び図９において、図１から図５に示した第１実施形態に係る構成要素と同様の構成要素に同一の参照符合を付し、それらの説明は適宜省略する。
【００８７】
図８は、第２実施形態に係る情報処理装置の全体構成を示す斜視図である。
【００８８】
図８において、第２実施形態に係る情報処理装置２は、上述した第１実施形態における選択動作モード表示部３５０に代えて選択動作モード表示部３５２を備えている点で、上述した第１実施形態に係る情報処理装置１と異なり、その他の点については、上述した第１実施形態に係る情報処理装置１と概ね同様に構成されている。
【００８９】
選択動作モード表示部３５２（即ち、選択動作モード表示部３５２ａ、選択動作モード表示部３５２ｂ、選択動作モード表示部３５２ｃ及び選択動作モード表示部３５２ｄ）は、表示領域１００Ａ内に、表示領域１００Ａの一辺に沿うように設けられている。
【００９０】
図９は、第２実施形態における、デジタイザー本体２１０、表示部１１０及び筐体１２０の位置関係の例を示す断面図であり、図８のＢ−Ｂ’線での断面を示している。
【００９１】
図９に示すように、デジタイザー本体２１０は、少なくとも、平面視で表示部１１０に重なる本体部２１１と、本体部２１１から保持部１３０ｂが設けられた側に延設された直前位置検出部２１２と、を有している。
【００９２】
本体部２１１は、デジタイザー本体２１０のうち少なくとも表示部１１０に平面視で重なる部分である。本体部２１１は、表示部１１０におけるスタイラスペン２２０の位置や軌跡を検出する。
【００９３】
第２実施形態においては、図９に示すように、選択動作モード表示部３５２は、例えば電気泳動表示装置等の表示装置によって構成された表示領域１００Ａの一部として設けられている。言い換えれば、表示領域１００Ａの４つの辺のうち、保持部１３０ｂが設けられた側の辺に沿う部分が、選択動作モード表示部３５２として機能する。
【００９４】
このように第２実施形態では、選択動作モード表示部３５２は、装置本体１００の表示領域１００Ａにおいて表示を行う表示部１１０と一体的に形成されている。よって、選択動作モード表示部３５２による表示内容を容易に変更することが可能となる。更に、情報処理装置２の構成を比較的簡易なものとすることができる。加えて、選択動作モード表示部３５２は、表示領域１００Ａの一辺に沿うように設けられているので、表示領域１００Ａの中央における表示に悪影響を殆ど或いは全く及ぼさない。
【００９５】
＜第３実施形態＞
次に、第３実施形態に係る情報処理装置について、図１０から図１２を参照して説明する。
【００９６】
尚、図１０から図１２において、図１から図５に示した第１実施形態に係る構成要素と同様の構成要素に同一の参照符合を付し、それらの説明は適宜省略する。
【００９７】
図１０は、第３実施形態に係る情報処理装置の構成を示すブロック図である。
【００９８】
図１０において、第３実施形態に係る情報処理装置３は、図３を参照して上述した第１実施形態におけるペン保持状態検出部３３０及び動作モード選択部３４０の各々に代えて、ペン保持状態検出部３３３及び動作モード選択部３４３を備える点で、上述した第１実施形態に係る情報処理装置１と異なり、その他の点については、上述した第１実施形態に係る情報処理装置１と概ね同様に構成されている。
【００９９】
図１０において、情報処理装置３は、ペン保持状態検出部３３３と、動作モード選択部３４３とを備えている。
【０１００】
ペン保持状態検出部３３３は、スタイラスペン２２０が保持部１３０によって保持された保持状態を検出する。
【０１０１】
動作モード選択部３４３は、スタイラスペン２２０が保持部１３０によって保持された場合、直前位置検出部２１２によって検出された直前位置とペン保持状態検出部３３３によって検出された保持状態とに応じて、装置本体１００の動作モードを選択する。
【０１０２】
ここで、保持部１３０ａ及びペン保持状態検出部３３３の構成について、図１１及び図１２を参照して説明する。
【０１０３】
尚、保持部１３０ｂは、筐体１２０の表面において第２の方向に延びる形状を有する点で、筐体１２０の表面において第１の方向に延びる形状を有する保持部１３０ａと異なり、その他の点については保持部１３０ａと概ね同様に構成されている。よって、以下では、保持部１３０ａの構成について主に説明し、保持部１３０ｂの構成については説明を適宜省略する。ペン保持状態検出部３３３は、保持部１３０ａ及び保持部１３０ｂの各々に対して設けられている。
【０１０４】
図１１は、保持部１３０ａによってスタイラスペン２２０が保持された保持状態の一例を示す断面図である。図１２は、保持部１３０ａによってスタイラスペン２２０が保持された保持状態の他の例を示す断面図であり、図１１に対応して示されている。
【０１０５】
図１１において、保持部１３０ａは、筐体１２０の表面の一部が窪んだ凹部１３１ａとして、筐体１２０に設けられている。凹部１３１ａは、筐体１２０の表面において第１の方向（即ち、情報処理装置１の左右方向或いは短手方向）に延びる形状を有している。凹部１３１ａは、スタイラスペン２２０の外形よりも大きい外形を有している。これにより、ユーザーは、保持部１３０ａの凹部１３１ａ内に、スタイラスペン２２０を容易に載置することができる。スタイラスペン２２０が保持部１３０ａに載置された際、スタイラスペン２２０の滑り移動及び転がり移動が、凹部１３１ａの段差によって凹部１３１ａ内に制限される。
【０１０６】
スタイラスペン２２０は、磁石２２１及び磁石２２２を有している。磁石２２１は、スタイラスペン２２０の軸方向におけるほぼ中央に設けられている。磁石２２２は、スタイラスペン２２０の軸方向の両端のうち第１の端部に設けられている。磁石２２１及び磁石２２２は、永久磁石であってもよいし、電磁石であってもよい。
【０１０７】
保持部１３０ａの凹部１３１ａには、磁性体１３２が設けられている。磁性体１３２は、凹部１３１ａの表面に設けられている。スタイラスペン２２０に設けられた磁石２２１及び磁石２２２と凹部１３１ａに設けられた磁性体１３２との間に働く磁力によって、磁石２２１及び磁石２２２が磁性体１３２に吸着される。このようにして、保持部１３０ａはスタイラスペン２２０を保持することができる。このように、保持部１３０ａが磁性体１３２を有しており、磁性体１３２はスタイラスペン２２０に設けられた磁石２２１及び磁石２２２を吸着するので、保持部１３０ａはスタイラスペン２２０を安定的に保持することができる。
【０１０８】
ペン保持状態検出部３３３を構成する磁気センサー３３３ａ及び磁気センサー３３３ｂが筐体１２０の内部に設けられている。磁気センサー３３３ａは、凹部１３１ａの第１の方向におけるほぼ中央に設けられている。磁気センサー３３３ｂは、凹部１３１ａの第１の方向の両端のうち第１の端部に設けられている。スタイラスペン２２０が保持部１３０ａに保持されると、磁気センサー３３３ａはスタイラスペン２２０に設けられた磁石２２１による磁場を検出し、磁気センサー３３３ｂは、スタイラスペン２２０に設けられた磁石２２２による磁場を検出することができるため、ペン保持状態検出部３３３は、保持部１３０ａによるスタイラスペン２２０の保持状態（より具体的には、スタイラスペン２２０の凹部１３１ａ内における向き、即ち、スタイラスペン２２０の第１の端部が、凹部１３１ａの両端のうちいずれの端側に位置するか）を検出することができる。
【０１０９】
具体的には、図１１に示す例では、磁石２２１による磁場が磁気センサー３３３ａによって検出され、磁石２２２による磁場が磁気センサー３３３ｂによって検出されることにより、ペン保持状態検出部３３３は、スタイラスペン２２０の第１の端部が、凹部１３１ａの第１の端部側（即ち、図１１における右側）になるように、スタイラスペン２２０が保持部１３０ａによって保持されている保持状態を検出する。尚、以下では、図１１に示すようなスタイラスペン２２０の第２の端部である先端が凹部１３１ａの左端側に位置する保持状態を「スタイラスペン２２０の向きが左向きである」と適宜称する。即ち、ペン保持状態検出部３３３は、磁石２２１による磁場が磁気センサー３３３ａによって検出され、かつ磁石２２２による磁場が磁気センサー３３３ｂによって検出される場合には、保持状態として、スタイラスペン２２０の向きが左向きであることを検出する。
【０１１０】
一方、図１２に示す例では、磁石２２１による磁場が磁気センサー３３３ａによって検出されるが、磁石２２２による磁場は磁気センサー３３３ｂによって検出されないことにより、ペン保持状態検出部３３３は、スタイラスペン２２０の第１の端部が、凹部１３１ａの第２の端部側（即ち、図１２における左側）になるように、スタイラスペン２２０が保持部１３０ａによって保持されている保持状態を検出する。尚、以下では、図１２に示すようなスタイラスペン２２０の先端が凹部１３１ａの右端側に位置するスタイラスペン２２０の保持状態を「スタイラスペン２２０の向きが右向きである」と適宜称する。即ち、ペン保持状態検出部３３３は、磁石２２１による磁場が磁気センサー３３３ａによって検出されるが、磁石２２２による磁場は磁気センサー３３３ｂによって検出されない場合には、保持状態として、スタイラスペン２２０の向きが右向きであることを検出する。
【０１１１】
尚、スタイラスペン２２０が凹部１３１ｂに保持され、スタイラスペン２２０の先端が凹部１３１ｂの図１における上端側となる保持状態を「スタイラスペン２２０の向きが上向きである」と適宜称し、スタイラスペン２２０の先端が凹部１３１ｂの図１における下端側となる保持状態を「スタイラスペン２２０の向きが下向きである」と適宜称する。凹部１３１ｂに対して設けられたペン保持状態検出部３３３は、保持状態として、スタイラスペン２２０の向きが上向きであることやスタイラスペン２２０の向きが下向きであることを検出することができる。また、ペン保持状態検出部３３３は、磁石２２１による磁場が磁気センサー３３３ａによって検出されず、磁石２２２による磁場が磁気センサー３３３ｂによって検出されない場合には、保持状態として、スタイラスペン２２０が保持部１３０によって保持されていないことを検出する。
【０１１２】
このように、ペン保持状態検出部３３３によれば、保持状態として、スタイラスペン２２０が保持部１３０ａによって保持されており、スタイラスペン２２０の向きが左向きであることや、スタイラスペン２２０が保持部１３０ａによって保持されており、スタイラスペン２２０の向きが右向きであること、スタイラスペン２２０が保持部１３０ｂによって保持されており、スタイラスペン２２０の向きが上向きであること、スタイラスペン２２０が保持部１３０ｂによって保持されており、スタイラスペン２２０の向きが下向きであることを検出することができる。
【０１１３】
図１１及び図１２において、動作モード選択部３４３は、筐体１２０の内部に電子回路として設けられている。動作モード選択部３４３は、上述したように、スタイラスペン２２０が保持部１３０によって保持された場合、直前位置検出部２１２によって検出された直前位置とペン保持状態検出部３３３によって検出された保持状態とに応じて、装置本体１００の動作モードを選択する。言い換えれば、動作モード選択部３４３は、直前位置が、選択動作モード表示部３５０ａ、選択動作モード表示部３５０ｂ、選択動作モード表示部３５０ｃ及び選択動作モード表示部３５０ｄ（図１参照）のうちいずれに対応する位置であるかに加えて、スタイラスペン２２０の保持状態（即ち、スタイラスペン２２０が保持部１３０ａ及び保持部１３０ｂのいずれによって保持されたか及びスタイラスペン２２０の向き）に応じて、装置本体１００の動作モードを選択する。
【０１１４】
よって、直前位置検出部２１２によって検出された直前位置とペン保持状態検出部３３３によって検出された保持状態との組み合わせに対して装置本体１００の動作モードを割り当てることができるので、より一層多様な動作モードを設定することが可能となる。
【０１１５】
＜第４実施形態＞
次に、第４実施形態に係る情報処理装置について、図１３及び図１４を参照して説明する。
【０１１６】
図１３は、第４実施形態における、保持部によってスタイラスペンが保持された保持状態の一例を示す断面図であり、図１４は、第４実施形態における、保持部によってスタイラスペンが保持された保持状態の他の例を示す断面図である。尚、図１３及び図１４は、図１１に対応して示されている。また、図１３及び図１４において、図１０から図１２に示した第３実施形態に係る構成要素と同様の構成要素に同一の参照符合を付し、それらの説明は適宜省略する。
【０１１７】
図１３及び図１４において、第４実施形態に係る情報処理装置は、保持部１３０及びペン保持状態検出部３３３の構成が上述した第３実施形態に係る情報処理装置と異なる。
【０１１８】
図１３及び図１４において、保持部１３０ａは、凹部１３１ａ内に、スタイラスペン２２０が有するクリップ２２５に対応する形状の切欠部１３５を有している。切欠部１３５の底部には開口部が形成されている。筐体１２０の内部には、ペン保持状態検出部３３３を構成するスイッチ３３３ｃが設けられている。スイッチ３３３ｃは、ボタン３３３ｃｂを有している。ボタン３３３ｃｂは、切欠部１３５の底部に形成された開口部から切欠部１３５の内部に突出するように設けられている。
【０１１９】
図１３に示すように、スタイラスペン２２０のクリップ２２５が切欠部１３５に嵌め合わされた状態で、スタイラスペン２２０が保持部１３０ａによって保持された場合には、ペン保持状態検出部３３３は、スイッチ３３３ｃのボタン３３３ｃｂがクリップ２２５によって押下されていることを検出することで、スタイラスペン２２０の第１の保持状態を検出する。
【０１２０】
一方、図１４に示すように、スタイラスペン２２０のクリップ２２５が切欠部１３５に嵌め合わされない状態で、スタイラスペン２２０が保持された場合には、ペン保持状態検出部３３３は、スイッチ３３３ｃのボタン３３３ｃｂがクリップ２２５によって押下されていないことを検出することで、スタイラスペン２２０の第２の保持状態を検出する。
【０１２１】
即ち、ペン保持状態検出部３３３は、第１の保持状態として、スタイラスペン２２０の軸周り回転状態が一の回転状態であることを検出し、第２の保持状態として、スタイラスペン２２０の軸周り回転状態が一の回転状態とは異なる他の回転状態であることを検出する。つまり、ペン保持状態検出部３３３は、スイッチ３３３ｃのボタン３３３ｃｂがクリップ２２５によって押下されているか否かに応じて異なる回転状態を保持状態として検出することができる。
【０１２２】
動作モード選択部３４３は、スタイラスペン２２０が保持部１３０によって保持された場合、直前位置検出部２１２によって検出された直前位置とペン保持状態検出部３３３によって検出された保持状態とに応じて、装置本体１００の動作モードを選択する。言い換えれば、動作モード選択部３４３は、直前位置が、選択動作モード表示部３５０ａ、３５０ｂ、３５０ｃ及び３５０ｄ（図１参照）のうちいずれに対応する位置であるかに加えて、スタイラスペン２２０の保持状態（即ち、スタイラスペン２２０が保持部１３０ａ及び保持部１３０ｂのいずれによって保持されたか及びスタイラスペン２２０の回転状態）に応じて、装置本体１００の動作モードを選択する。
【０１２３】
このように構成された第４実施形態に係る情報処理装置によれば、上述した第３実施形態に係る情報処理装置と同様に、直前位置検出部２１２によって検出された直前位置とペン保持状態検出部３３３によって検出された保持状態との組み合わせに対して装置本体１００の動作モードを割り当てることができるので、より一層多様な動作モードを設定することが可能となる。
【０１２４】
尚、ペン保持状態検出部３３３を、保持状態として、スタイラスペン２２０が複数の保持部１３０のいずれによって保持されたか並びにスタイラスペン２２０の向き及び回転状態を検出するように構成することで、直前位置検出部２１２によって検出される直前位置とペン保持状態検出部３３３によって検出される保持状態との組み合わせを増やすことができ、該組み合わせに対して装置本体１００の動作モードを割り当てることによって、より一層多様な動作モードを設定することが可能となる。
【０１２５】
例えば、第４実施形態に係る情報処理装置においては、スイッチ３３３ｃを凹部１３１ａの第１の端部側（即ち、図１３における右側）にのみ設けたが、スイッチ３３３ｃをさらに凹部１３１ａの第２の端部側（即ち、図１３における左側）にも設ければ、スタイラスペン２２０の回転状態だけでなく保持される向き（上下左右）も利用して、さらに多様な動作モードを設定することができる。
【０１２６】
本発明は、上述した実施形態に限られるものではなく、特許請求の範囲及び明細書全体から読み取れる発明の要旨或いは思想に反しない範囲で適宜変更可能であり、そのような変更を伴う情報処理装置もまた本発明の技術的範囲に含まれるものである。
【符号の説明】
【０１２７】
１００…装置本体、１００Ａ…表示領域、１１０…表示部、１２０…筺体、１３０、１３０ａ、１３０ｂ…保持部、１４０…キースイッチ、２００…デジタイザー、２１０…デジタイザー本体、２１１…本体部、２１２…直前位置検出部、２２０…スタイラスペン、３３０…ペン保持状態検出部、３４０…動作モード選択部、３５０、３５０ａ、３５０ｂ、３５０ｃ、３５０ｄ…選択動作モード表示部、３６０…選択動作モード設定部、３７０…ペン判定部、７１０、７２０…インジケーター
【図１】
2011175465.tif 000003
【図２】
2011175465.tif 000004
【図３】
2011175465.tif 000005
【図４】
2011175465.tif 000006
【図５】
2011175465.tif 000007
【図６】
2011175465.tif 000008
【図７】
2011175465.tif 000009
【図８】
2011175465.tif 000010
【図９】
2011175465.tif 000011
【図１０】
2011175465.tif 000012
【図１１】
2011175465.tif 000013
【図１２】
2011175465.tif 000014
【図１３】
2011175465.tif 000015
【図１４】
2011175465.tif 000016